【手続補正書】
【提出日】平成18年5月12日(2006.5.12)
【手続補正１】
【補正対象書類名】明細書
【補正対象項目名】特許請求の範囲
【補正方法】変更
【補正の内容】
【特許請求の範囲】
【請求項１】  各々が複数の発光点を有する複数の光源と、該複数の光源から射出した複数の光束を偏向手段の偏向面に導く第１の光学系と、該偏向手段の偏向面により偏向された複数の光束の夫々を互いに副走査方向に離間し且つ被走査面上にスポットとして結像させる第２の光学系とを有する走査光学装置において、
副走査方向に向かい順次に配列された前記被走査面上の各スポットの主走査方向の結像位置は、主走査方向において同じ方向へ向かって順次配列され、全スポットが主走査方向に占める間隔は、前記複数の光源のうち同一光源から射出されたスポットを通過し、該全スポットが占める副走査方向の間隔に亘るよう設定した直線の主走査方向の間隔よりも短いことを特徴とする走査光学装置。
【請求項２】  副走査方向に向かい順次に配列された前記被走査面上の各スポットの主走査方向の結像位置は、主走査方向において同じ方向へ向かって順次配列され、且つ、副走査方向において、同一光源から射出されたスポット同士の間に他の光源からのスポットが並ぶよう配列されており、該複数のスポットのうち異なる光源から射出された最も内側の２つのスポット同志の主走査方向の間隔Ｌが
Ｗ≧Ｌ＞Ｗ／ｎ．．．．（１）
Ｗ：前記複数の光源のうち同一光源から射出されたスポットの主走査方向の間隔
ｎ：前記複数の発光点を有する複数の光源の数
を満たす請求項１記載の走査光学装置。
【請求項３】  副走査方向に向かい順次に配列された前記被走査面上の各スポットの主走査方向の結像位置は、主走査方向において同じ方向へ向かって順次配列され、且つ、副走査方向において、前記複数の光源のうち同一光源から射出されたスポット同士の間に他の光源からのスポットが並ばないよう配列されており、該複数のスポットのうち異なる光源から射出され且つ隣り合ったスポットの主走査方向の間隔Ｌが
Ｗ＞Ｌ≧０．．．．（２）
Ｗ：前記複数の光源のうち同一光源から射出されたスポットの主走査方向の間隔
を満たす請求項１記載の走査光学装置。
【請求項４】  少なくとも３つの光束を偏向手段の偏向面に導く第１の光学系と、該偏向手段の偏向面により偏向された少なくとも３つの光束の夫々を互いに副走査方向に離間し且つ被走査面上にスポットとして結像させる第２の光学系とを有する走査光学装置において、
副走査方向に向かい順次に配列された前記被走査面上の各スポットの主走査方向の結像位置は、主走査方向において同じ方向へ向かって順次配列され、且つ、全スポットが主走査方向に占める間隔は、該全スポットを一直線上に並べた仮想直線の全スポットの両端のスポットの主走査方向の間隔よりも短いことを特徴とする走査光学装置。
【請求項５】  前記光源は、前記少なくとも３つの光束の発光点は同一基板上に設けられているモノリシック光源である請求項４記載に走査光学装置。
【請求項６】  前記光源は、前記少なくとも３つの光束の発光点は異なる基板上に設けられているハイブリッド光源である請求項４記載に走査光学装置。
【請求項７】  前記第１の光学系は、前記複数の光束の夫々を収束光束に変換する機能を備えている請求項１〜６の何れか一項記載の走査光学装置。
【請求項８】  請求項１〜７の何れか一項に記載の走査光学装置と、前記被走査面に配置された感光体と、前記走査光学装置で走査された光束によって前記感光体上に形成された静電潜像をトナー像として現像する現像器と、前記現像されたトナー像を被転写材に転写する転写器と、転写されたトナー像を被転写材に定着させる定着器とから成る画像形成装置。
【請求項９】  請求項１〜８の何れか一項に記載の走査光学装置と、外部機器から入力したコードデータを画像信号に変換して前記走査光学装置に入力せしめるプリンタコントローラとから成る画像形成装置。
【手続補正２】
【補正対象書類名】明細書
【補正対象項目名】００２１
【補正方法】変更
【補正の内容】
【００２１】
【課題を解決するための手段】
前記目的を達成するために、
本発明における請求項１の走査光学装置は、各々が複数の発光点を有する複数の光源と、該複数の光源から射出した複数の光束を偏向手段の偏向面に導く第１の光学系と、該偏向手段の偏向面により偏向された複数の光束の夫々を互いに副走査方向に離間し且つ被走査面上にスポットとして結像させる第２の光学系とを有する走査光学装置において、
副走査方向に向かい順次に配列された前記被走査面上の各スポットの主走査方向の結像位置は、主走査方向において同じ方向へ向かって順次配列され、全スポットが主走査方向に占める間隔は、前記複数の光源のうち同一光源から射出されたスポットを通過し、該全スポットが占める副走査方向の間隔に亘るよう設定した直線の主走査方向の間隔よりも短いことを特徴としている。
【手続補正３】
【補正対象書類名】明細書
【補正対象項目名】００２２
【補正方法】変更
【補正の内容】
【００２２】
請求項２記載の走査光学装置は、請求項１記載の走査光学装置において、
副走査方向に向かい順次に配列された前記被走査面上の各スポットの主走査方向の結像位置は、主走査方向において同じ方向へ向かって順次配列され、且つ、副走査方向において、同一光源から射出されたスポット同士の間に他の光源からのスポットが並ぶよう配列されており、該複数のスポットのうち異なる光源から射出された最も内側の２つのスポット同志の主走査方向の間隔Ｌが
Ｗ≧Ｌ＞Ｗ／ｎ．．．．（１）
Ｗ：前記複数の光源のうち同一光源から射出されたスポットの主走査方向の間隔
ｎ：前記複数の発光点を有する複数の光源の数
を満たすことを特徴としている。
【手続補正４】
【補正対象書類名】明細書
【補正対象項目名】００２３
【補正方法】変更
【補正の内容】
【００２３】
請求項３記載の走査光学装置は、請求項１記載の走査光学装置において、
副走査方向に向かい順次に配列された前記被走査面上の各スポットの主走査方向の結像位置は、主走査方向において同じ方向へ向かって順次配列され、且つ、副走査方向において、前記複数の光源のうち同一光源から射出されたスポット同士の間に他の光源からのスポットが並ばないよう配列されており、該複数のスポットのうち異なる光源から射出され且つ隣り合ったスポットの主走査方向の間隔Ｌが
Ｗ＞Ｌ≧０．．．．（２）
Ｗ：前記複数の光源のうち同一光源から射出されたスポットの主走査方向の間隔
を満たすことを特徴としている。
【手続補正５】
【補正対象書類名】明細書
【補正対象項目名】００２４
【補正方法】削除
【補正の内容】
【手続補正６】
【補正対象書類名】明細書
【補正対象項目名】００２５
【補正方法】削除
【補正の内容】
【手続補正７】
【補正対象書類名】明細書
【補正対象項目名】００２６
【補正方法】削除
【補正の内容】
【手続補正８】
【補正対象書類名】明細書
【補正対象項目名】００２７
【補正方法】削除
【補正の内容】
【手続補正９】
【補正対象書類名】明細書
【補正対象項目名】００２８
【補正方法】削除
【補正の内容】
【手続補正１０】
【補正対象書類名】明細書
【補正対象項目名】００２９
【補正方法】削除
【補正の内容】
【手続補正１１】
【補正対象書類名】明細書
【補正対象項目名】００３０
【補正方法】削除
【補正の内容】
【手続補正１２】
【補正対象書類名】明細書
【補正対象項目名】００３１
【補正方法】削除
【補正の内容】
【手続補正１３】
【補正対象書類名】明細書
【補正対象項目名】００３２
【補正方法】変更
【補正の内容】
【００３２】
請求項４記載の走査光学装置は、少なくとも３つの光束を偏向手段の偏向面に導く第１の光学系と、該偏向手段の偏向面により偏向された少なくとも３つの光束の夫々を互いに副走査方向に離間し且つ被走査面上にスポットとして結像させる第２の光学系とを有する走査光学装置において、
副走査方向に向かい順次に配列された前記被走査面上の各スポットの主走査方向の結像位置は、主走査方向において同じ方向へ向かって順次配列され、且つ、全スポットが主走査方向に占める間隔は、該全スポットを一直線上に並べた仮想直線の全スポットの両端のスポットの主走査方向の間隔よりも短いことを特徴としている。
【手続補正１４】
【補正対象書類名】明細書
【補正対象項目名】００３３
【補正方法】変更
【補正の内容】
【００３３】
請求項５記載の走査光学装置は、請求項４記載の走査光学装置において、前記光源は、前記少なくとも３つの光束の発光点は同一基板上に設けられているモノリシック光源であるを備えたことを特徴としている。
【手続補正１５】
【補正対象書類名】明細書
【補正対象項目名】００３４
【補正方法】変更
【補正の内容】
【００３４】
請求項６記載の走査光学装置は、請求項４記載の走査光学装置において、前記光源は、前記少なくとも３つの光束の発光点は異なる基板上に設けられているハイブリッド光源であることを特徴としている。
【手続補正１６】
【補正対象書類名】明細書
【補正対象項目名】００３５
【補正方法】変更
【補正の内容】
【００３５】
請求項７記載の走査光学装置は、請求項１〜６の何れか一項記載の走査光学装置において、前記第１の光学系は、前記複数の光束の夫々を収束光束に変換する機能を備えていることを特徴としている。
【手続補正１７】
【補正対象書類名】明細書
【補正対象項目名】００３６
【補正方法】変更
【補正の内容】
【００３６】
請求項８記載の画像形成装置は、請求項１〜７の何れか一項に記載の走査光学装置と、前記被走査面に配置された感光体と、前記走査光学装置で走査された光束によって前記感光体上に形成された静電潜像をトナー像として現像する現像器と、前記現像されたトナー像を被転写材に転写する転写器と、転写されたトナー像を被転写材に定着させる定着器とから成ることを特徴としている。
【手続補正１８】
【補正対象書類名】明細書
【補正対象項目名】００３７
【補正方法】変更
【補正の内容】
【００３７】
請求項９記載の画像形成装置は、請求項１〜８の何れか一項に記載の走査光学装置と、外部機器から入力したコードデータを画像信号に変換して前記走査光学装置に入力せしめるプリンタコントローラとから成ることを特徴としている。